(57)【要約】【課題】下側刃体に対する上側刃体の刃長手方向の傾き調整はもとより、刃短手方向の傾き調整も行なえて、これらの傾きの微調整も可能な鋏を提供する。【解決手段】鋏１は、上側刃体２と、下側刃体３と、これらを枢支する枢支部４と、上側刃体２の傾きを調整する傾き調整機構１９とを有して成り、枢支部４は、枢軸１１と、枢軸１１を軸支するとともに上側刃体２の凹曲面２０に凸曲面１８Ａが回動自在に収受されるコマ状体１０と、コマ状体１０を上側刃体２に固定する固定板９とから構成され、傾き調整機構１９は、固定板９とコマ状体１０との隙間を調整する３以上の隙間調整機構２６で構成されている。【選択図】図７
2019213610.tif 000002
【特許請求の範囲】
【請求項１】
上側刃体と、前記上側刃体と僅少隙間を介して重ね合わせられる下側刃体と、前記上側刃体と前記下側刃体とを回動自在に枢支する枢支部と、前記下側刃体に対する前記上側刃体の傾きを調整する傾き調整機構と、を有して成り、
前記枢支部は、
軸端部が前記下側刃体に固定される枢軸と、
前記枢軸を回動自在に軸支する軸受部および外周が下向きに縮径する凸曲面である円盤部を有するとともに前記上側刃体に上下貫通して形成された軸支孔の凹曲面に前記円盤部の凸曲面が回動自在に収受されるコマ状体と、
前記コマ状体を前記上側刃体に固定する固定板と、から構成され、
前記傾き調整機構は、前記枢支部の固定板に設けられていて当該固定板と前記コマ状体の円盤部との隙間を調整する３以上の隙間調整機構で構成されていることを特徴とする鋏。
【請求項２】
前記隙間調整機構は、前記コマ状体の上方に配置される位置の固定板に上下貫通して形成された調整用雌ネジ孔と、前記調整用雌ネジ孔に螺合して前記コマ状体の円盤部を押す調整用雄ネジと、から構成されている請求項１に記載の鋏。
【請求項３】
前記隙間調整機構が、前記固定板に４個設けられていて、前記下側刃体に対する前記上側刃体の刃長手方向の傾きと刃短手方向の傾きを調整するように構成されている請求項１または請求項２に記載の鋏。
【請求項４】
前記固定板を嵌入する装着穴が前記上側刃体の上面で前記軸支孔の周囲に下向きに陥没して形成され、前記コマ状体の軸受部を挿通する装着孔が前記固定板に形成されている請求項１から請求項３までのいずれか一項に記載の鋏。
【請求項５】
前記枢軸は、軸端部からネジ軸心方向に延びる割り溝を有していて前記下側刃体の軸用雌ネジ孔に螺止される割り雄ネジで構成され、当該割り雄ネジが前記下側刃体の軸用雌ネジ孔とは異なるネジピッチで形成されている請求項１から請求項４までのいずれか一項に記載の鋏。
【発明の詳細な説明】
【技術分野】
【０００１】
本発明は、上側刃体と下側刃体が枢支部を介して回動自在に軸支されていて、下側刃体に対する上側刃体の傾きを調整する傾き調整機構を備える、例えば理美容などに好適な鋏に関するものである。
【背景技術】
【０００２】
従来、この種の鋏としては、例えば下記の特許文献１に開示されたものが知られている。この文献１記載の鋏は、上側刃体５２と、上側刃体５２と僅少隙間Ｓを介して重ね合わせられる下側刃体５３と、上側刃体５２と下側刃体５３とを回動自在に枢支する枢支部５４と、を有している。前記の枢支部５４は、上側刃体５２を上下に貫通する貫通孔６１に鍔部５６より下側の下側筒部分５９が嵌め込まれる鍔付筒体５５と、下部の雄ネジ部６３が下側刃体５３の雌ネジ孔６４に螺着され上部が鍔付筒体５５に回動可能に挿着される軸体６６と、上側刃体５２と鍔部５６との間に、その上側刃体５２の刃長手方向（矢印Ｈ方向）に自身を起点とした隙間ＳＢを形成させる一対の支点突起６７，６７と、支点突起６７，６７を利用して鍔付筒体５５の上側刃体５２に対する刃長手方向の傾斜角を調整可能とする傾き調整機構６０と、を有している。前記した一対の支点部６７，６７は、上側刃体５２の上面５２Ｄに載せられていて刃短手方向（矢印Ｇ方向）に軸体６６を挟む位置に配置されている。また、傾き調整機構６０は、鍔付筒体５５の鍔部５６，５６を上下に貫通する挿通孔５７，５７に挿通されるとともに、上側刃体５２に設けられて上下に延びる雌ネジ孔６２，６２に螺着される固定用雄ネジ５８，５８を有している。この鋏において、上側刃体５２の刃先と下側刃体５３の刃先の当り具合を調整する場合、２つの固定用雄ネジ５８，５８の締め具合によって行なわれる。これにより、支点突起６７，６７を支点として上側刃体５２が刃長手方向（矢印Ｈ方向）に傾く。その結果、上側刃体５２と下側刃体５３の刃先の当り具合が利用者の好みに合わせて決められるようになっている。
【先行技術文献】
【特許文献】
【０００３】
【特許文献１】特開２０１７−１５８６１６号公報
【発明の概要】
【発明が解決しようとする課題】
【０００４】
ところで、前記従来の鋏では、支点部６７，６７が鍔部５６の底面の固定位置に設けられていて、底面からの支点部６７，６７の突出量が一定であり、下側刃体５３に対する上側刃体５２の傾き調整は刃長手方向のみである。そのために、刃先の当り具合を調整することはできるが、それ以外には活用できなかった。また、固定用雄ネジ５８，５８は、鍔付筒体５５を上側刃体５２に固定する機能と、上側刃体５２に対して鍔付筒体５５を傾けることにより上側刃体５２を下側刃体５３から傾ける機能を併せ持っているので、固定操作と傾き操作を別々に行なうことができず、傾きの微調整まではできない。また、傾き調整は固定用雄ネジ５８，５８で行ない、揺動支点は支点突起６７，６７が担うので、これらの操作を別々の部品が担当しなければならなかった。
【０００５】
一方で、鍔付筒体５５の下側筒部分５９は上側刃体５２の貫通孔６１内に格納されているものの、鍔部５６が上側刃体５２の上面５２Ｄに載っているだけなので、鍔付筒体５５の大部分が上側刃体５２の上面５２Ｄから大きく突出して上下に嵩張っている。そのために、この鋏は整髪作業を行なううえで取り扱いにくいと考えられる。また、支点突起６７，６７の存在により、鍔付筒体５５の鍔部５６と上側刃体５２の上面５２Ｄとの間に生じる隙間ＳＢが外部に開放されているので、切られた毛髪片やフケがその隙間ＳＢに入り込んで溜まりやすいという課題もある。
【０００６】
本発明は、上記した従来の問題点に鑑みてなされたものであって、下側刃体に対する上側刃体の刃長手方向の傾き調整はもとより、刃短手方向の傾き調整も行なうことができ、これら両方向の傾きの微調整も可能な鋏の提供を目的とする。
【課題を解決するための手段】
【０００７】
上記目的を達成するために、本発明に係る鋏は、上側刃体と、上側刃体と僅少隙間を介して重ね合わせられる下側刃体と、上側刃体と下側刃体とを回動自在に枢支する枢支部と、下側刃体に対する上側刃体の傾きを調整する傾き調整機構と、を有して成り、枢支部は、軸端部が下側刃体に固定される枢軸と、枢軸を回動自在に軸支する軸受部および外周が下向きに縮径する凸曲面である円盤部を有するとともに上側刃体に上下貫通して形成された軸支孔の凹曲面に円盤部の凸曲面が回動自在に収受されるコマ状体と、コマ状体を上側刃体に固定する固定板と、から構成され、傾き調整機構は、枢支部の固定板に設けられていて当該固定板とコマ状体の円盤部との隙間を調整する３以上の隙間調整機構で構成されていることを特徴とするものである。
【０００８】
また、前記構成において、隙間調整機構は、固定板における穿設された調整用雌ネジ孔と、調整用雌ネジ孔に螺合してコマ状体の円盤部を押し引きする調整用雄ネジと、から構成されているものである。
【０００９】
そして、前記した各構成において、隙間調整機構が、固定板に４個設けられていて、下側刃体に対する上側刃体の刃長手方向の傾きと刃短手方向の傾きを調整するように構成されているものである。
【００１０】
更に、前記した各構成において、固定板を嵌入する装着穴が上側刃体の上面で軸支孔の周囲に下向きに陥没して形成され、コマ状体の軸受部を挿通する装着孔が固定板に形成されているものである。
【００１１】
また、前記した各構成において、枢軸は、軸端部からネジ軸心方向に延びる割り溝を有していて下側刃体の軸用雌ネジ孔に螺止される割り雄ネジで構成され、その割り雄ネジが下側刃体の軸用雌ネジ孔とは異なるネジピッチで形成されているものである。
【発明の効果】
【００１２】
本発明に係る鋏によれば、枢支部が枢軸とコマ状体と固定板とから構成され、３以上の隙間調整機構から成る傾き調整機構を備えているので、３以上の隙間調整機構を用いることにより、上側刃体の刃長手方向の傾き調整はもとより、刃短手方向の傾き調整も行なうことができる。また、コマ状体は固定板によって上側刃体に固定されるので、上側刃体の傾き調整をコマ状体の固定操作とは別に行なえるから、傾きの微調整も可能となる。
【００１３】
また、隙間調整機構が、固定板の調整用雌ネジ孔と、コマ状体の円盤部を押す調整用雄ネジとから構成されているものでは、調整用雄ネジの回動により、コマ状体を固定板に対して傾けられるので、下側刃体に対する上側刃体の傾き調整をコマ状体の固定操作とは別に行なうことができる。すなわち、コマ状体が固定板で固定された状態でも、上側刃体の傾き調整ができ更には傾きの微調整も可能になる。
【００１４】
そして、隙間調整機構が固定板に４個設けられて上側刃体の傾きを調整するように構成されているものでは、２個１組ずつで、上側刃体と下側刃体の刃先の当りを調整できるのはもとより、上側刃体と下側刃体の刃線が摩耗して切れ味が落ちてきたときに、下側刃体に対する上側刃体の刃短手方向の傾きを大きくさせて、切れ味を戻すこともできる。
【００１５】
更に、上側刃体の上面に装着穴が形成されているものでは、コマ状体の軸受部を装着孔に挿通された固定板が上側刃体の装着穴に嵌入されるので、高さ寸法が小さな薄手の枢支部を有して取扱い性がよく、固定板とコマ状体の間の隙間に毛髪片やフケなどが入りにくい鋏を提供することができる。
【００１６】
また、枢軸が、下側刃体の軸用雌ネジ孔とは異なるネジピッチで形成された割り雄ネジで構成されているものでは、枢軸を回した分だけ割り雄ネジが変形しながら軸用雌ネジ孔内を螺進し、力を抜くとその位置で掛止されるから、任意の所望位置で枢軸を固定できる。これにより、上側刃体および下側刃体が互いに回動しやすく且つガタの少ない締め具合に、枢軸の調整を行なうことができる。
【図面の簡単な説明】
【００１７】
【図１】本発明の一実施形態に係る鋏を示す平面図である。
【図２】前記鋏の刃体を示す図であって、（ａ）は上側刃体の刃部を示す底面図、（ｂ）は（ａ）におけるＡ−Ａ線矢視断面図、（ｃ）は前記上側刃体の刃部を示す平面図、（ｄ）は下側刃体の刃部を示す底面図である。
【図３】前記鋏のコマ状体を示す図であって、（ａ）は斜視図、（ｂ）は平面図、（ｃ）側面図、（ｄ）は底面図である。
【図４】前記鋏の固定板を示す図であって、（ａ）は平面図、（ｂ）は（ａ）におけるＢ−Ｂ線矢視断面図、（ｃ）は（ａ）におけるＣ−Ｃ線矢視図である。
【図５】前記鋏の分解側面図である。
【図６】前記鋏の枢支部を拡大して示す部分拡大平面図である。
【図７】前記枢支部の部分拡大側断面図である。
【図８】前記鋏の傾き調整機構によって下側刃体に対する上側刃体の傾きを調整する態様を示す図であって、（ａ）は（１）から（２）または（３）へ刃長手方向の傾きを調整する態様を示す説明図、（ｂ）は（１）から（２）へと刃線の経時摩耗状態を示すとともに（３）で刃短手方向の傾きを調整する態様を示す説明図である。
【図９】本発明に係る鋏の種々の枢支部を示す図であって、（ａ）は別の実施形態の部分拡大平面図、（ｂ）は更に別の実施形態の部分拡大平面図、（ｃ）他の実施形態の部分拡大平面図である。
【図１０】従来の鋏の枢支部を示す図であって、（ａ）は部分拡大側断面図、（ｂ）は部分拡大正断面図である。
【発明を実施するための形態】
【００１８】
以下、本発明の実施形態を図面に基づいて説明する。尚、以下に述べる実施形態は本発明を具体化した一例に過ぎず、本発明の技術的範囲を限定するものでない。ここに、図１は本発明の一実施形態に係る鋏の平面図である。
図１において、この実施形態に係る鋏１は、上側刃体２と、上側刃体２と僅少隙間Ｓ（図７参照）を介して重ね合わせられる下側刃体３と、上側刃体２と下側刃体３とを回動自在に枢支する枢支部１０と、下側刃体３に対する上側刃体２の傾きを調整する傾き調整機構１９と、から構成されている。前記の上側刃体２は、刃線５Ｃを有する刃部５と、刃部５の接続部位５Ｂで溶接などにより接続される薬指用の指環部６Ａを備えたハンドル部６と、から構成されている。前記の下側刃体３は、刃線７Ｃを有する刃部７と、刃部７の接続部位７Ｂで溶接などにより接続される親指用の指環部８Ａを備えたハンドル部８と、から構成されている。
【００１９】
また、前記した上側刃体２の刃部５は、図２（ａ）〜（ｃ）に示すように、長尺板状に形成されたものであり、接続部位５Ｂの反対側端部に刃先５Ａがある。刃部５の接続部位５Ｂの近傍には、円形の軸支孔１５が上下貫通して形成されている。軸支孔１５の内周壁は、下向きに膨らみながら縮径する凹曲面２０が形成されている。外面５Ｄの反対面である下面は僅かに凹陥した裏梳き面５Ｅとされ、軸支孔１５の近傍位置から刃先５Ａまでの一辺が切断用の刃線５Ｃとなっている。外面５Ｄにおける軸支孔１５の周囲には、楕円形に似た平面形状の受台部１３が下向きに陥没して刻設されている。外面５Ｄと受台部１３との間に形成された空間は、後出する固定板９を殆ど隙間なく密着した状態で嵌入するための、装着穴１２となっている。また、受台部１３において軸支孔１５を挟んだ位置には、上下方向の雌ネジ孔１４，１４が形成されている。
【００２０】
図２（ｄ）に示すように、前記の刃部７は刃部５と同様の平面形状であり、接続部位７Ｂの反対側端部に刃先７Ａが設けられている。刃部７の接続部位７Ｂ近傍には軸用雌ネジ孔１６が上下貫通して形成され、軸用雌ネジ孔１６の近傍位置から刃先７Ａまでの一辺が刃部５の刃線５Ｃと交接する刃線７Ｃとなっている。外面７Ｄの反対面である上面は僅かに凹陥した裏梳き面７Ｅとなっている。
【００２１】
前記のコマ状体１０は、図３に示した恰も独楽のような外形を成しており、下側刃体３の刃部７の軸用雌ネジ孔１６に軸下端部が固定される枢軸１１と、枢軸１１の上部に回動自在に軸支される回転子２５と、から構成されている。回転子２５は、枢軸１１を軸支するための軸受孔３６（図７参照）を有する円筒状の軸受部１７と、軸受部１７の下部に軸受部１７よりも大径で一体的に形成された円盤部１８と、から構成されている。軸受部１７の軸受孔３６は、上下１組のボールベアリング３５，３５（図７参照）が嵌着されるとともに枢軸１１が挿通されるように上下貫通して形成されている。円盤部１８は、上面１８Ｂおよび下面１８Ｃが平らで、外周面が下向きに縮径する截底球面状の凸曲面１８Ａとして形成されている。
【００２２】
前記の枢軸１１は、軸下端部からネジ軸心（１点鎖線Ｃ）方向に延びる割り溝１１Ｂを有する割り雄ネジ１１Ａとして構成されており、その上端面に六角レンチ用の六角穴１１Ｃが形成されている。割り雄ネジ１１Ａは、下側刃体３の刃部７の軸用雌ネジ孔１６に螺止される。この割り雄ネジ１１Ａの雄ネジ部は、下側刃体３の軸用雌ネジ孔１６のネジピッチ（例えば１．０ｍｍ）よりも広いネジピッチ（例えば１．１ｍｍ）に形成されている。但し、割り雄ネジ１１Ａのネジピッチおよび軸用雌ネジ孔１６のネジピッチは、例示した数値のものに限定されない。
【００２３】
前記の固定板９は、図４に示すように、上側刃体２の刃部５の装着穴１２に嵌合される平面略楕円形の板本体２１から構成されている。この板本体２１の平面中央部には、その下面２１Ａ側からコマ状体１０の回転子２５の軸受部１７を挿通される装着孔２２が上下貫通して形成されている。この装着孔２２の周囲には、４つの調整用雌ネジ孔２４，２４，２４，２４がそれぞれ上下貫通して穿設されている。この調整用雌ネジ孔２４は、板本体２１の長手方向に１組、および短手方向に１組がそれぞれ配置されている。そして、調整用雌ネジ孔２４の長手方向の両側の外方位置には、固定ネジ３０を通される軸孔２３Ａ，２３Ａが上下貫通して形成されている。各軸孔２３Ａの上部には、固定ネジ３０の大径部を受けるための段部２３が形成されている。
【００２４】
そうして、前記した鋏１の構成部品は、図５に示すように組み立てられる。まず、上側刃体２が下側刃体３の上に重ね合わせられ、その状態で上側刃体２の軸支孔１５にコマ状体１０の枢軸１１が通されて割り雄ネジ１１Ａが下側刃体３の軸用雌ネジ孔１６に螺進される。そのうち、コマ状体１０の回転子２５の凸曲面１８Ａが上側刃体２の凹曲面２０に嵌って収受される。一方で、固定板９の調整用雌ネジ孔２４，２４，２４，２４に調整用雄ネジ３１，３１，３１，３１が螺合される。これらの調整用雄ネジ３１，３１，３１，３１は尖端３１Ａ，３１Ａ，３１Ａ，３１Ａが固定板９の下面２１Ａから僅かに突出した状態にしておくとよい。その状態の固定板９が上側刃体２の装着穴１２に装着されて受台部１３上に載置される。そして、固定ネジ３０，３０が固定板９の軸孔２３Ａ，２３Ａを通されて上側刃体２の雌ネジ孔１４，１４に螺止され、これによって固定板９が上側刃体２に固定される。このとき、コマ状体１０の凸曲面１８Ａは、枢支面である上側刃体２の凹曲面２０に面支持されて摺動自在な状態になっている。
【００２５】
このようにして組み立てられた枢支部４は、図６および図７に示すように、軸端部である割り雄ネジ１１Ａが下側刃体３の刃部７の軸用雌ネジ孔１６に螺止固定される枢軸１１と、枢軸１１を回動自在に軸支する軸受部１７および外周が下向きに縮径する凸曲面１８Ａに形成された円盤部１８を有するとともに上側刃体２の凹曲面２０に円盤部１８の凸曲面１８Ａが回動自在に収受されるコマ状体１０と、コマ状体１０を上側刃体２に固定する固定板９と、から構成される。
【００２６】
前記の傾き調整機構１９は、枢支部４の固定板９に設けられていてその固定板９とコマ状体１０の円盤部１８との隙間ＳＡ（図７参照）を調整する４個の隙間調整機構２６，２６，２６，２６で構成されている。各隙間調整機構２６は、固定板９に上下貫通して形成された調整用雌ネジ孔２４と、調整用雌ネジ孔２４に螺合する調整用雄ネジ３１と、から構成されている。調整用雄ネジ３１はその下端の尖端３１Ａが固定板９の下面２１Ａから出し入れされてコマ状体１０の円盤部１８の上面１８Ｂに当接し、円盤部１８を押し下げたり引き上げたりするようになっている。調整用雄ネジ３１の上面には、六角レンチ用の六角穴３１Ｂが形成されている。これらの隙間調整機構２６は、下側刃体３の刃部７に対する上側刃体２２の刃部５の刃長手方向（図７中の矢印Ｈ方向）の傾きと、刃長手方向とは平面視直角方向である刃短手方向（図７中の矢印Ｇ方向）の傾きを調整するものである。
【００２７】
上記のように構成された鋏１の作用を次に説明する。下側刃体３に対する上側刃体２の刃長手方向の傾きが一般的な傾きに設定された状態を図８（ａ）−（１）に示す。このときの上側刃体２の刃部５と下側刃体３の刃部７との間の僅少隙間はＳ（１）とし、刃部５の刃先５Ａと刃部７の刃先７Ａとの当り具合は通常とする。
【００２８】
そこで、利用者が通常よりも硬い当り具合を要求する場合は、刃長手方向に配置されている２つの隙間調整機構２６，２６のうち、ハンドル部側の調整用雄ネジ３１（１）（図６参照）を螺進させて尖端３１Ａを少し突出させる動作、または刃部側の調整用雄ネジ３１（２）を螺退させて尖端３１Ａを少し引き込ませる動作、あるいはこれら双方の動作を同時に行なわせることにより、枢支部４の軸心（１点鎖線Ｃ）において下側刃体３に対する上側刃体２の刃長手方向の傾きが大きくなる。これにより、刃部５の刃先５Ａと刃部７の刃先７Ａが重なったときに、図８（ａ）−（２）に示すように、刃部５および刃部７が撓って矢印Ｄ１のように互いに近づき、刃部５と刃部７間の僅少隙間Ｓ（２）は通常よりも狭くなる。従って、刃先５Ａと刃先７Ａの当り具合が硬くなるのである。
【００２９】
一方で、利用者が通常よりも柔かい当り具合を要求する場合は、ハンドル部側の調整用雄ネジ３１（１）を螺退させて尖端３１Ａを少し引き込ませる動作、または刃部側の調整用雄ネジ３１（２）を螺進させて尖端３１Ａを少し突出させる動作、あるいはこれら双方の動作を同時に行なわせることにより、下側刃体３に対する上側刃体２の刃長手方向の傾きが小さくなる。これにより、刃部５の刃先５Ａと刃部７の刃先７Ａが重なったときに、図８（ａ）−（３）に示すように、刃部５および刃部７が撓って矢印Ｄ２のように互いに離れて、刃部５と刃部７間の僅少隙間Ｓ（３）は通常よりも広くなる。従って、刃先５Ａと刃先７Ａの当り具合が柔らかくなる。
【００３０】
続いて、上側刃体２および下側刃体３の正断面図を図８（ｂ）に示す。図８（ｂ）において、上側刃体２と下側刃体３の揺動面は１点鎖線Ｅで示される。上側刃体２の刃線５Ｃと下側刃体３の刃線７が新規なときの状態は図８（ｂ）−（１）に示されており、刃線５Ｃおよび刃線７はともに鋭利である。そこで、鋏１の使用を続けていくと、刃線５Ｃおよび刃線７が経時的に摩耗していき、図８（ｂ）−（２）に示すように、双方に磨耗部位５Ｆ，７Ｆを生じていく。すると、鋏１の切れ味が落ちて、毛髪を切りにくくなる。
【００３１】
このような場合に、鋏１を研ぎ加工業者に提出して、刃線５Ｃおよび刃線７を鋭利に再生させることが考えられる。しかしながら、利用者にとって愛用の鋏１であっても、研ぎ加工に出している間は使用することができないので、整髪作業の効率が落ちてしまう。然も、斯かる研ぎ加工は多大な経験と技量を必要とすることから加工費も高額である。そのために、次の研ぎ加工までの期間を極力引き延ばしたいという実情がある。
【００３２】
そこで、傾き調整機構１９では、刃短手方向（図７中の矢印Ｇ方向＝左右方向）に配置されている２つの隙間調整機構２６，２６のうち、ハンドル部に向かって左側の調整用雄ネジ３１（３）（図６参照）を螺退させて尖端３１Ａを少し引き込ませる動作、または右側の調整用雄ネジ３１（４）を螺進させて尖端３１Ａを少し突出させる動作、あるいはこれら双方の動作を同時に行なわせることにより、図８（ｂ）−（３）に示すように、枢支部４の軸心（１点鎖線Ｃ）において下側刃体３に対する上側刃体２の刃短手方向（左側を持ち上げる方向＝矢印Ｄ３方向）の傾きを大きくする。これによって、刃線５Ｃおよび刃線７Ｃが摩耗していたとしても、刃線７Ｃに対して刃線５Ｃに傾きがつく。これにより、鋏１の切れ味が戻るから、今しばらく充分な切れ味で整髪でき、作業効率の低下抑制と経費節減を図ることができる。
【００３３】
上記したように、この実施形態の鋏１によれば、４つの隙間調整機構２６，２６，２６，２６を枢支部４に配備しているので、上側刃体２の刃長手方向の傾き調整および刃短手方向の傾き調整を行なうことができる。これにより、刃先５Ａ，７Ａ同士の好みの当りが得られるのはもとより、刃線５Ｃおよび刃線７Ｃが摩耗して切れ味が落ちてきたときでも、切れ味を戻して鋏１の使用を続けることができる。また、コマ状体１０は固定板９によって上側刃体２に固定されるので、上側刃体２の傾き調整をコマ状体１０の固定操作とは別に行なうことができ、傾きの微調整が可能となる。
【００３４】
また、隙間調整機構２６の調整用雄ネジ３１を調整用雌ネジ孔２４内で回すことにより、コマ状体１０が固定板９に対して傾くので、下側刃体３に対する上側刃体２の傾き調整をコマ状体１０の固定操作とは別に行なうことができる。すなわち、コマ状体１０を固定板９で固定した状態でも、上側刃体２の傾き調整ができて微調整も可能になる。
【００３５】
そして、傾き調整機構１９として４つの隙間調整機構２６，２６，２６，２６を備えているので、対をなす２つの隙間調整機構２６，２６が２組、それぞれ刃長手方向の傾き調整と刃短手方向の傾き調整を分担し得るので、より正確で綿密な傾き調整を行なうことができる。
【００３６】
更に、コマ状体１０の軸受部１７を装着孔２２に挿通された固定板９が、上側刃体２の装着穴１２に嵌入されるので、枢支部４の高さ寸法が小さくなり、薄手の枢支部４を有する取扱い性のよい鋏１が提供される。しかも、隙間調整を行なう調整用雄ネジ３１の尖端３１Ａと、支点部となるコマ状体１０の凸曲面１８Ａおよび上側刃体２の凹曲面２０は、装着穴１２内に隠されて固定板９でほぼ密着して蓋止されるので、切られた毛髪片やフケが装着穴１２内に入り込みにくく、従って当該部分に溜まったりしないから、操作性や衛生面を低下させない。
【００３７】
また、枢軸１１は、軸用雌ネジ孔１６よりも大きなネジピッチの割り雄ネジ１１Ａで構成されているので、枢軸１１を回すと割り雄ネジ１１Ａが変形しながら軸用雌ネジ孔１６内を螺進し、力を抜いた位置で止まる。従って、軸用雌ネジ孔１６内の任意の所望位置で枢軸１１を固定できる。これにより、枢軸１１を所望の締め具合にすることができる。
【００３８】
尚、上記の実施形態では、枢軸１１の軸心（１点鎖線Ｃ）を通る刃長手方向の点対称位置に２つの隙間調整機構２６，２６を配置するとともに、前記軸心を通る刃短手方向の点対称位置に２つの隙間調整機構２６，２６を配置したが、本発明の鋏はそれに限定されるものでない。例えば、図９（ａ）に示すような鋏も、本発明に含まれる。この鋏の枢支部４ａでは、固定板９ａの板本体２１ｂにおいて、平面視で刃長手方向から４５度傾いた点対称位置に２つの軸孔２３Ａ（段部２３），２３Ａ（段部２３）が配置されるとともに、同様に軸心を通る刃短手方向から４５度傾いた点対称位置に２つの軸孔２３Ａ，２３Ａが配置されている。また、これらの軸孔２３Ａ，２３Ａ，２３Ａ，２３Ａに調整用雄ネジ３１，３１，３１，３１が螺合して、４つの隙間調整機構２６，２６，２６，２６を構成する。
【００３９】
この鋏の場合、ハンドル部側の２つの調整用雄ネジ３１，３１と、刃線５Ｃ，７Ｃ側の２つの調整用雄ネジ３１，３１とをそれぞれペアにして、ペア毎に同時に螺進または螺退させることにより、下側刃体３に対する上側刃体２の刃長手方向の傾きを調整することができる。刃短手方向の傾きを調整する場合は、板本体２１ｂにおける右側の２つの調整用雄ネジ３１，３１と、左側の２つの調整用雄ネジ３１，３１とをそれぞれペアにし、ペア毎に同時に螺進または螺退させることにより、下側刃体３に対する上側刃体２の刃短手方向の傾きを調整できる。
【００４０】
あるいは、３つの隙間調整機構２６，２６，２６を配置したものでも構わない。このような鋏を図９（ｂ）に示す。この鋏の枢支部４ｂは、図９（ａ）の鋏と比べて、刃線５Ｃ，７Ｃ側の隙間調整機構２６を１つにしてある。この鋏では、固定板９ｂの板本体２１ａに設けた、隙間調整機構２６，２６，２６の調整用雄ネジ３１，３１，３１をそれぞれ独立に螺進退させることにより、刃長手方向および刃短手方向の傾きを同時に調整することができる。無論、刃長手方向の傾きだけを調整することも可能である。
【００４１】
更には、３つの隙間調整機構２６，２６，２６の配置を図９（ｂ）から変えたものも、本発明に含まれる。このような鋏を図９（ｃ）に示す。この鋏の枢支部４ｃでは、固定板９ｃの板本体２１ｃにおいて、刃短手方向において右側の隙間調整機構２６を２つにし、左側の隙間調整機構２６を１つにしてある。この鋏でも、固定板９ｃの板本体２１ｃに設けた、隙間調整機構２６，２６，２６の調整用雄ネジ３１，３１，３１をそれぞれ独立に螺進退させることにより、上側刃体２の刃長手方向および刃短手方向の傾きを同時に調整することができる。
【００４２】
尚、本発明は上記した実施の形態に限定されるものでない。すなわち、本発明の分野における通常の知識を有する者であれば想到し得る、各種変形、修正を含む、本発明の要旨を逸脱しない範囲の設計変更があっても、本発明に含まれることは勿論である。
【符号の説明】
【００４３】
１    鋏
２    上側刃体
３    下側刃体
４，４ａ，４ｂ，４ｃ  枢支部
５    刃部
５Ａ  刃先
５Ｃ  刃線
５Ｄ  外面
５Ｅ  裏梳き面
５Ｆ  磨耗部位
７    刃部
７Ａ  刃先
７Ｃ  刃線
７Ｆ  磨耗部位
９，９ａ，９ｂ，９ｃ  固定板
１０  コマ状体
１１  枢軸
１１Ａ  割り雄ネジ
１１Ｂ  割り溝
１２  装着穴
１３  受台部
１５  軸支孔
１６  軸用雌ネジ孔
１７  軸受部
１８  円盤部
１８Ａ  凸曲面
１８Ｂ  上面
１９  傾き調整機構
２０  凹曲面
２１Ａ  下面
２２  装着孔
２４  調整用雌ネジ孔
２６  隙間調整機構
３１  調整用雄ネジ
３１Ａ  尖端
Ｃ    １点鎖線
Ｇ    矢印
Ｈ    矢印
Ｓ，Ｓ（１），Ｓ（２），Ｓ（３）  僅少隙間
ＳＡ  隙間
【図１】
2019213610.tif 000003
【図２】
2019213610.tif 000004
【図３】
2019213610.tif 000005
【図４】
2019213610.tif 000006
【図５】
2019213610.tif 000007
【図６】
2019213610.tif 000008
【図７】
2019213610.tif 000009
【図８】
2019213610.tif 000010
【図９】
2019213610.tif 000011
【図１０】
2019213610.tif 000012